(57)【特許請求の範囲】
【請求項１】
複数のパラメータを監視することと、前記パラメータは、評価した信号対雑音比率（ＳＮＲ）、チャンネル評価、復調誤り事象の確率、チャンネル状態またはサーチャー結果を含み、
デバイスの利用可能なリソースを識別することと、前記リソースは、前記パラメータの値に基づくクラスタを含み、
前記パラメータの値に基づく複数のレーキクラスタのうちの少なくとも一つのレーキクラスタを動的に無効にすることと、
前記チャンネル状態が高密度多重経路チャンネル状態を示すとき、前記レーキクラスタの時間及び周波数ドリフトをトラックするために前記複数のレーキクラスタのそれぞれの中の単一の時間及び周波数トラッキング素子を用いること、
を具備する移動式デバイスのリソースの利用を促進する機械実行方法。
【請求項２】
デバイスリソースを選択的に無効又は有効にするために一又はそれ以上の切替えコンポーネントを利用することを更に具備する請求項１に記載の方法。
【請求項３】
前記パラメータは、信号又はデータ閾値、クオリティ・オブ・サービス（ＱｏＳ）状態、信号対雑音比率（ＳＮＲ）情報、又はリソース利用情報を含む、前記デバイスの望ましい動作状態を定義する入力又はデータを含む請求項１に記載の方法。
【請求項４】
直接シーケンススペクトラム拡散型超広帯域無線（ＵＷＢ）通信システムに前記デバイスを用いることを更に具備する請求項１に記載の方法。
【請求項５】
開回路制御装置又は閉回路制御装置に基づいて、リソースを選択的に有効又は無効にすることを更に具備する請求項１に記載の方法。
【請求項６】
前記開回路制御装置によって受信機方向調整を適用することを更に具備する請求項５に記載の方法。
【請求項７】
入ってくる受信サンプルの信号−雑音比率を測定することと、デバイスリソースの方向調整を行うことを更に具備する請求項６に記載の方法。
【請求項８】
前記閉回路制御装置は、望ましいクオリティ・オブ・サービスを可能にするために、ビット当たりの電力密度対雑音電力密度比（Ｅｂ／Ｎｏ）、受信信号強度インジケータ（ＲＳＳＩ）、ブロック誤り率（ＢＬＥＲ）、パケット誤り率（ＰＥＲ）、信号対雑音比率（ＳＮＲ）、リンククオリティインジケータ（ＬＱＩ）、又はビット誤り率（ＢＥＲ）を処理する請求項５に記載の方法。
【請求項９】
各々が一又はそれ以上のフィンガ（Ｌ）を含んでいる数個のクラスタ（Ｋ）を有するレーキリソースの集まりの中に受信機を構成することを更に具備し、ＫおよびＬが正の整数である請求項１に記載の方法。
【請求項１０】
個々のクラスタを有効又は無効にするために切替えロジックを用いることと、あるクラスタの中の個々のフィンガを有効又は無効にすることを更に具備する請求項９に記載の方法。
【請求項１１】
受信機チャンネルタイプ又は処理利得に基づいて、切替え要求を決定することを更に具備する請求項１０に記載の方法。
【請求項１２】
望ましい復調性能を達成するために用いるクラスタの数およびクラスタの中のフィンガの数を決定することを更に具備する請求項１０に記載の方法。
【請求項１３】
受信したワイヤレス信号に対するアナログ−ディジタル（Ａ／Ｄ）変換要求を決定することを更に具備し、前記動的に無効にすることは、前記受信したワイヤレス信号に対する検知状態に基づいて前記Ａ／Ｄ変換要求に関連したリソースを有効又は無効にする請求項１に記載の方法。
【請求項１４】
受信した信号対雑音比率（ＳＮＲ）の評価に基づいて、アナログ−ディジタル変換装置（ＡＤＣ）のためにワード長（ビットの数）を決定することを更に具備する請求項１３に記載の方法。
【請求項１５】
前記ＳＮＲに基づいて、前記ＡＤＣワード長を測定することを更に具備する請求項１４に記載の方法。
【請求項１６】
前記受信したＳＮＲに基づいて、前記ＡＤＣのワード長を減らすことを更に具備する請求項１５に記載の方法。
【請求項１７】
前記ＡＤＣによって用いられるビットの数を指示する制御を生成することを更に具備する請求項１６に記載の方法。
【請求項１８】
ＡＤＣビット幅要求を最小限にするために大きい処理利得を用いる請求項１７に記載の方法。
【請求項１９】
入ってくる信号状態に鑑みてＡＤＣサンプリングレートを調整することを更に具備する請求項１４に記載の方法。
【請求項２０】
受信信号を、その信号のプリアンブル部分の期間においてタイミングが調整された状態でオーバーサンプリングすることを更に具備する請求項１９に記載の方法。
【請求項２１】
前記信号のプリアンブル部分の後のサンプリングレートを決定することを更に具備する請求項２０に記載の方法。
【請求項２２】
タップの集合を有するイコライザコンポーネントによって受信ワイヤレス信号を処理することと、受信チャンネル状態又は復調性能の一部に基づいて、前記タップの部分集合に切替えることを更に具備する請求項１に記載の方法。
【請求項２３】
前記タップの集合は、入力シンボルレートで記録した遅延装置、掛け算装置、および加算装置に関連する請求項２２に記載の方法。
【請求項２４】
可変順タップおよび可変帰還タップを制御することを更に具備する請求項２２に記載の方法。
【請求項２５】
遅延拡散又は処理利得に基づいて、タップの数を調整することを更に具備する請求項２４に記載の方法。
【請求項２６】
高密度の複数の経路チャンネルのために向上した電力節約を提供するためのクラスタをトラックする手段として、フィンガからなるクラスタの中の単一のトラッキング素子を用いることを更に具備する請求項１に記載の方法。
【請求項２７】
ワイヤレス信号を処理するために受信機コンポーネントおよび送信機コンポーネントを含むモデムコンポーネントと、
前記モデムコンポーネントの動作を制御するために一又はそれ以上のリソースと、
前記モデムで検知したチャンネル状態に鑑みて前記一又はそれ以上のリソースを選択的に有効又は無効にするためのリソースマネージャと、
前記チャンネル状態が高密度多重経路チャンネル状態を示すとき、レーキクラスタの時間及び周波数ドリフトをトラックするために複数のレーキクラスタのそれぞれの中に用いられる単一の時間及び周波数トラッキング素子と、
を具備するワイヤレス通信デバイス。
【請求項２８】
前記一又はそれ以上のリソースを選択的に有効又は無効にするために、クラスタマネージャ、ワード長マネージャ、サンプリングマネージャ、およびタップマネージャのうちの少なくとも一つを用いる請求項２７に記載のデバイス。
【請求項２９】
ワイヤレスネットワークのパラメータに関連する一又はそれ以上の閾値であって、前記パラメータが少なくともチャンネル評価又は信号対雑音比率（ＳＮＲ）に関連する閾値を記憶することと、
受信した信号状態と前記閾値を比較することと、
前記受信した信号状態および前記閾値の一部に基づいて、ワイヤレス受信機のコンポーネントリソースを調整することと、
前記受信した信号状態が高密度多重経路チャンネルを通じた信号送信を示すとき、レーキクラスタの時間及び周波数ドリフトをトラックするために複数のレーキクラスタのそれぞれの中の単一の時間及び周波数トラッキング素子を用いること、
を具備する機械可読のインストラクションを有する機械可読媒体。
【請求項３０】
前記閾値に基づいてフィンガ又はクラスタを割り当てる請求項２９に記載の機械可読媒体。
【請求項３１】
いくつかの主要なチャンネル経路のチャンネルタイプに基づいて、フィンガ又はクラスタを割り当てる請求項３０に記載の機械可読媒体。
【請求項３２】
測定したＳＮＲと目標のＳＮＲとの間の差を算出することと、リソース利用表（ＲＵＴ）に基づいて、いくつかの要求されるリソースをマッピングするために前記差を用いることを更に具備する請求項２９に記載の機械可読媒体。
【請求項３３】
前記ＲＵＴへの入力としての差分を決定することと、前記ＲＵＴの出力としてのリソース利用を決定することを更に具備する請求項３２に記載の機械可読媒体。
【請求項３４】
前記リソース利用は、レーキフィンガの数、ＡＤＣビットの数、又はイコライザタップの数を含む請求項３３に記載の機械可読媒体。
【請求項３５】
レーキ損失表（ＲＬＴ）、ＡＤＣ損失表（ＡＬＴ）、又はイコライザ損失表（ＥＬＴ）を含んでいる、一又はそれ以上の損失表を生成することを更に具備する請求項３３に記載の機械可読媒体。
【請求項３６】
異なるリソースを利用する動作を行いつつより正確な損失の評価を生成するためにモデムの動作中に損失表を更新することを更に具備する請求項３５に記載の機械可読媒体。
【請求項３７】
複数のパラメータを監視する手段と、前記パラメータは、評価した信号対雑音比率（ＳＮＲ）、チャンネル評価、復調誤り事象の確率、チャンネル状態またはサーチャー結果を含み、
デバイスの利用可能なリソースを決定する手段と、前記リソースは、複数のレーキクラスタを含み、
前記パラメータの値に基づく複数のレーキクラスタのうちの少なくとも一つを有効又は無効にする手段と、
前記チャンネル状態が高密度多重経路チャンネル状態を示すとき、前記レーキクラスタの時間及び周波数ドリフトをトラックするために前記複数のレーキクラスタのうちのそれぞれの中の単一の時間及び周波数トラッキング素子を用いる手段と、
を具備するワイヤレス通信システム。
【請求項３８】
デバイスリソースを選択的に無効又は有効にするために、一又はそれ以上の切替えコンポーネントを利用する手段を更に具備する請求項３７に記載のシステム。
【請求項３９】
前記パラメータは、信号又はデータ閾値、クオリティ・オブ・サービス（ＱｏＳ）状態、信号対雑音比率（ＳＮＲ）情報、又はリソース利用情報を含む、前記デバイスの望ましい動作状態を定義する入力又はデータを含む請求項３７に記載のシステム。
【請求項４０】
前記切替えコンポーネントは、開回路制御装置又は閉回路制御装置を用いる請求項３８に記載のシステム。
【請求項４１】
前記開回路制御装置又は前記閉回路制御装置は、前記少なくとも一つのリソースを有効又は無効にするための、クラスタマネージャ、ワード長マネージャ、サンプリングマネージャ、およびタップマネージャのうちの少なくとも一つに関連する請求項４０に記載のシステム。
【請求項４２】
ワイヤレスネットワーク信号状態に関連する一又はそれ以上の閾値を記憶するメモリと、
前記閾値と電流信号状態とを比較し、デバイスでの電力消費を最小限にするために前記電流信号に鑑みて前記デバイスにおけるリソースを調整し、前記電流信号状態が高密度多重経路チャンネルを通じた信号送信を示すとき、レーキクラスタの時間及び周波数ドリフトをトラックするために前記複数のレーキクラスタのそれぞれの中の単一の時間及び周波数トラッキング素子を用いる処理装置コンポーネントと、
を具備するワイヤレスネットワークのための処理装置。
【発明の詳細な説明】
【技術分野】
【０００１】
本願の技術は、一般的には通信システムおよび方法に関し、特に、デバイスでの電力消費量を最小限にするために移動式通信デバイスにおいてリソースを選択的に作動および停止させるシステムおよび方法に関する。
【背景技術】
【０００２】
信号がワイヤレスネットワークにおいて基地局から受信機へ送信される場合、様々なタイプの信号処理システムが、多重経路効果によって弱められた受信機に到達したかもしれない正確且つ高い忠実度信号を復元するために適用されてもよい。それぞれの経路で処理するためのこのようなシステムは、モデム（変調器／復調器）と呼ばれるワイヤレス送信／受信システムの一部であることも可能なレーキ受信機として知られる。もう一つの例はイコライザである。一般に、レーキ受信機は、同一の方法で、いくつかの信号多重経路コンポーネントを個々に処理するためにベースバンド相関器を用いる。相関器出力は、向上した通信信頼度および通信性能を達成するために結合される。一方で、イコライザは、無線チャンネルのインパルス応答を評価し、この評価に基づいて送信信号上でチャンネルの影響を取り除く。
【０００３】
多くのアプリケーションにおいて、基地局および移動式受信機の両者は、通信のためにレーキ受信機の中の各相関器がレーキ受信フィンガ見なされるレーキ受信技術を用いる。基地局は、非干渉性をもってレーキ受信フィンガの出力を結合し、このことにより、この出力は電力に加算される。移動式受信機は、一般的に干渉性をもってレーキ受信フィンガの出力を結合し、このことにより、この出力は電圧に加算される。典型的な移動式受信機および基地局は、受信機におけるいくつかのフィンガを利用する。
【０００４】
レーキに基づく評価量は、単一キャリアシステムにおいて、チャンネル評価のために通例用いられる。このようなシステムにおいて、「フィンガ」は、チャンネルの中で主要な経路に割り当てられる。各フィンガに対するチャンネルマグニチュードは、通常、パイロットＰＮシーケンスの適切な遅延バージョンとの相関によって求められる。ここで、シーケンスは、チャンネルの直角位相コンポーネントを広げるために利用されるＰＮ（擬似乱数雑音）シーケンスの最大限の長さの組を参照する。平均化フィルタは、ドップラータラレンスを備えるチャンネル評価精度をトレードオフするためにこのチャンネル評価に用いられることができる。ここで、このフィルタは、一般に、割り当て、デインタリーバ、およびトラッキングのために、それぞれのフィンガで処理されるそれぞれの信号コンポーネントのフィンガ管理アルゴリズムを適用する。
【０００５】
電力消費量は、上述したいくつかのレーキ技術を用いるバッテリ作動ワイヤレスモデムに対する重要な考察である。一般的に、電力量解析は電力消費量が相称的でないことを示す。従って、モデムの受信機は、一般的にモデムの送信機側よりも多くの電力を消費する。それゆえに、受信サンプルを処理するために用いるリソースは、全体の電力消費およびデバイスバッテリがどのくらい長く続くかを決定する重要な要素である。例えば、アナログベースバンド，ディジタルベースバンド，および無線周波数（ＲＦ）部分のような、モデムにおける異なるセクションは、異なった電力を消費する。短距離のデバイスにとって、ベースバンド受信セクションは、電力量を考察するための重要な要素である。受信機は、一般的に、様々なチャンネルで一定のクオリティ・オブ・サービス（ＱｏＳ）を維持するために、ビット当たりのエネルギー対熱雑音密度比（Ｅｂ／Ｎｏ），信号受信強度インジケータ（ＲＳＳＩ），ブロック誤り率（ＢＬＥＲ），パケット誤り率（ＰＥＲ），信号対雑音比率（ＳＮＲ），リンククオリティ（ＬＱＩ），ビット誤り率（ＢＥＲ）等、又はこれらの例から導出されるその他の評価指標のような、一定の評価指標に基づいたレーキフィンガ，イコライザタップ，Ａ−Ｄ変換装置（ＡＤＣ）ビット等のような固定数のリソースの固定数をもって設計される。予め電力を管理することにおける一つの問題は、望ましいＱｏＳを保証することである。しかしながら、これに力を注ぐことは、しばしば受信機で更なる電力を消費する。
【発明の概要】
【０００６】
以下に、本実施形態のいくつかの様態の基本的な理解を提供するために、様々な実施形態を平易にした概要を示す。これは広範囲に及ぶ概要ではない。重要な／重大な要素を識別すること、又はここに開示される本実施形態の範囲を描写することを目的としてはいない。その唯一の目的は、後に示されるより詳細な記述の前置きとして、平易にした形式でいくつかの概念を示すことである。
【０００７】
システムおよび方法は、リソースを動的に制御し、ワイヤレス移動式デバイスにおいて電力消費を最小限にするために提供される。リソースマネージャは、例えば、信号対雑音比率（ＳＮＲ），チャンネル評価，クオリティ・オブ・サービス（ＱｏＳ）等のようなパラメータに対するそれぞれの閾値を決定するために、移動式ワイヤレスデバイスの様々なパラメータを監視する。デバイスの電力消費を最小限にするために、閾値又はその他のリソースの利用の検討内容に応じて、ワイヤレス移動式デバイス中の様々なコンポーネントが選択的にターンオン又はターンオフされる。例えば、現用の位置に基づくあるデバイスに対するＱｏＳをより少ないリソースで満足させることができることが、チャンネル評価から決定されてもよい。このように、リソースマネージャにとって、デバイスでの電力を一定に保つために、デバイス中の一又はそれ以上のリソース又はコンポーネントを無効にすることは可能であろう。ＱｏＳ又はその他の信号クオリティが減損する時、リソースマネージャは、望ましいサービスクオリティが維持されることを円滑に行うために、動的にコンポーネントを有効にすることができる。このように、通信環境に影響するリソースを選択的および動的に制御することによって、デバイスでの電力消費を節約することができバッテリ寿命を向上させるといった面を促進させることができる。ある特定の用途において、動的な制御は、一般的に低電力消費を要する超広帯域システムに適用することができる。同様に、動的なリソース測定は、ワイヤレス移動式デバイスの様々なタイプに適用可能である。
【０００８】
前述のおよび関連した目的を実現させるために、例示される実施形態が、以下の記述および添付の図面に関してここに記述される。これらの様態は、前述および関連事項の全てが包含されることを意図し、本実施形態が実行されてもよいような様々な方法を示すものである。
【図面の簡単な説明】
【０００９】
【図１】図１は、電力消費量を制御するための動的リソース制御装置を有するワイヤレスネットワークシステムを例示する機能ブロック図である。
【図２】図２は、ワイヤレスデバイスのためのリンクアダプティブ受信機制御装置を例示する図である。
【図３】図３は、アダプティブレーキ受信機の機能ブロック図である。
【図４】図４は、アダプティブイコライザの機能ブロック図である。
【図５】図５は、アダプティブ受信機のために処理する閾値を例示する図である。
【図６】図６は、アダプティブレーキ受信機によって処理されるチャンネルタイプ波形の一例を例示する。
【図７】図７は、アダプティブレーキ受信機によって処理されるチャンネルタイプ波形の一例を例示する。
【図８】図８は、アダプティブレーキ受信機によって処理されるチャンネルタイプ波形の一例を例示する。
【図９】図９は、リソース配置処理表の処理を例示する図である。
【図１０】図１０は、アダプティブ受信機制御処理を例示するフロー図である。
【図１１】図１１は、アダプティブ受信機システムのための論理的なモジュールを例示する図である。
【図１２】図１２は、超広帯域無線ワイヤレスシステムのために配置されるトランシーバの一例を例示する図である。
【発明を実施するための形態】
【００１０】
システムおよび方法が、ワイヤレス移動式デバイスにおいて電力消費量を最小限にするために提供される。ある実施形態において、コンピュータで実行される方法は、移動式デバイスのリソースの利用を促進することを提供する。これは、デバイスの性能を向上させる又は最適化する少なくともチャンネル評価の機能として、デバイスの利用可能なリソースを識別すること、およびリソースのサブセットを動的に無効又は有効にすることを含む。移動式デバイスの様々なコンポーネントは、レーキ受信機，アダプティブフィルタタップ，クラスタフィンガマネージャ，ワード長マネージャ，サンプリングマネージャ，イコライザタップマネージャ，およびその他のコンポーネントを含んでいる動的な電力消費制御装置のために向上又は最適化することができる。例は超広帯域無線構成を示すものとして提供されるかもしれないが、ここに記述される実施形態は、どのような符号分割多元接続（ＣＤＭＡ）システムへも適用されうる。また、ある評価指標例が、電力を制御するためにここに記述される。これら評価指標は、ビット当たりのエネルギー対熱雑音電力密度比（Ｅｂ／Ｎｏ）、受信信号強度インジケータ（ＲＳＳＩ）、ブロック誤り率（ＢＬＥＲ）、パケット誤り率（ＰＥＲ）、信号対雑音比率（ＳＮＲ）、リンククオリティ（ＬＱＩ）、又はビット誤り率（ＢＥＲ）等を含むが、これに限られない。これら評価指標が記述される場合に、このリスト（又は、リストにないその他の評価指標）に示すその他の評価指標が、電力および望ましいサービスを制御するための記述された評価指標と共に用いられてもよいことを理解されたい。
【００１１】
本願に用いられるような、「コンポーネント」，「ネットワーク」，「システム」等の用語は、ハードウェア，ハードウェアおよびソフトウェアの組み合わせ，ソフトウェア，又は実行中のソフトウェア等、コンピュータに関連したものを指すことを意図している。例えば、コンポーネントは、プロセッサで実行する処理，プロセッサ，オブジェクト，エグゼキュータブル，実行スレッド，プログラム，および／又はコンピュータであってもよいが、これに限られるものでない。例証のために、通信デバイス上で動作するアプリケーションおよびデバイスの両者が、コンポーネントであってもよい。一又はそれ以上のコンポーネントが、プロセスおよび／又は実行スレッドの中に在ってもよいし、コンポーネントが、一つのコンピュータに局在し、および／又は二又はそれ以上のコンピュータ間に分布されてもよい。また、これらコンポーネントは、記憶した様々なデータ構成を有している様々なコンピュータ読み出し媒体から実行することができる。コンポーネントは、一又はそれ以上のデータパケット（例えば、近距離通信システム，分散システム，および／又はインターネットのような有線又はワイヤレスネットワークを通じて別のコンポーネントと情報を交換する、あるコンポーネントからのデータ）を有している信号に従って、近距離および／又は遠距離処理上で通信してもよい。更に、最小限にするという用語は最小限にする又は減らすと解釈されうることに注意されたい。同様に、最大限にするという用語は最大限にする又は増やすと解釈されうる。一方、最適化するという用語は最適化する又は向上させると解釈されうる。
【００１２】
図１は、電力消費量を最小限にするためにシステムリソースを管理するためのダイナミックリソース制御装置を有する、ワイヤレスネットワークシステム１００を例示する。システム１００は、一又はそれ以上の移動式デバイス１２０とワイヤレスネットワーク１１４を通じて通信する、一又はそれ以上の送信機を含む。このようなデバイス１２０は、ネットワーク１１４を通じてデータを通信する、モデム（変調器／復調器）、トランシーバ、ハンドヘルドデバイス、コンピュータ化したデバイス等を含むことができる。リソースマネージャ１３０は、デバイス１２０の中の電力を動的に監視し、管理するために提供される。電力の節約は、デバイス１２０における複数のパラメータ１４０を監視すること、および１６０でデバイスリソースを選択的に無効又は有効にするために一又はそれ以上の切替えコンポーネント１５０を利用することに関連する。パラメータ１４０は、デバイス１２０の望ましい動作状態を定める、様々な入力又はデータを含むことができる。例えば、このようなパラメータ１４０は、デバイス１２０で電力を管理するために１６０で有効にされるべきリソースの最小数を示す、リソースマネージャ１３０のための信号又はデータ閾値、クオリティ・オブ・サービス（ＱｏＳ）状態、チャンネル評価情報、信号対雑音比率（ＳＮＲ）情報、リソース利用表、および／又はその他の帰還状態を含むことができる。
【００１３】
一般的に、システム１００は、電力消費量を最小限にするために最適条件又は適当な方法でデバイス１２０におけるハードウェア（又はソフトウェア）リソースを利用する、リンクアダプティブ受信機アーキテクチャの機能をサポートする。アーキテクチャは、例えば、直接シーケンススペクトラム拡散タイプ超広帯域無線（ＵＷＢ）通信システムに適用することができるが、これに限られない。ＵＷＢシステムの使用法の一例が、乗り物、家、およびオフィスタイプネットワークでの高速近距離通信である。ＵＷＢシステムの使用法のもう一つの例が、非常に低いデータレートセンサネットワークである。ＵＷＢデバイスのいくつかの特性は、低エネルギー消費である。それゆえに、バッテリ寿命は延長される。ここでＵＷＢシステムの広い帯域幅は、それによって非常に高速に動作するコンポーネントを含み、適当な管理なしで連続的に動作したならば、相当量の電力を消費する。ＵＷＢシステムのほかの特徴は、固定の送信電力を用いて動作することである。このようなシステムにおいて、チャンネル状態の結果に基づいてインテリジェントな方法で受信機パラメータを動的に調整することは、デバイス１２０の相当量の電力の節約となる。
【００１４】
上述したように、システム１００はＵＷＢデバイスに限られず、このような動的な電力管理方法は、どのような移動式デバイス１２０にも適用することができる。以下の記述は、上述したリンクアダプティブアーキテクチャの様々なコンポーネントを例示するであろう。このようなコンポーネントは、リンクアダプティブ受信制御装置、アダプティブレーキ受信機、アダプティブフィルタ・タップ、クラスタフィンガマネージャ、アナログ−ディジタル（ＡＤＣ）ワード長マネージャ、ＡＤＣサンプリングマネージャ、およびイコライザタップマネージャを含み、以下により詳細に記述される。
【００１５】
図２は、ワイヤレスデバイスのためのリンクアダプティブ受信制御装置（ＬＡＲＣ）２００を例示する。例示されるように、ＬＡＲＣは、開回路制御装置２１０および／又は閉回路制御装置２２０を含む。ここで、それぞれの制御装置は受信サンプル２３０を処理する。一般的に、デバイスは、送信機と受信機の設計に用いた状態より良好な状態である受信機間との間で異なるチャンネル状態になる、異なるタイプの動作環境に配置することができる。その結果、望ましいクオリティ・オブ・サービス（ＱｏＳ）を達成するために、全てのリソースを用いることが必要とされなくてもよい。余分なリンク量マージンは、電力消費量を最小限にするために、一又はそれ以上のリソースを無効にするために用いられることができる。リンクアダプティブ受信制御装置２００の一様態は、異なるチャンネル状態の下で望ましいＱｏＳを維持しつつ、電力消費量を最小限にすることである。
【００１６】
ＬＡＲＣ２００は、開回路制御装置２１０および／又は閉回路制御装置２２０にそれぞれ適用することができる。開回路状態の下で、ＬＡＲＣ２００は、入力する受信サンプル２３０の信号対雑音比率（ＳＮＲ）を測定し、２３４でデバイスリソースの方向調整を行う。開回路制御装置は、ある程度電力消費量を減らし、望ましいＱｏＳ要求を上回る。閉回路状態の下で、ＬＡＲＣ２００は、例えば、望ましいＱｏＳを達成し、維持しつつ、リソース利用を細かく区別し、さらに電力消費量を最小限にするために、ＰＥＲのようなその他の評価指標又はパラメータ２４０と一緒にＳＮＲを用いる。例えば、ＲＳＳＩ、Ｅｂ／Ｎｏ、ＢＬＥＲ等のようなその他の評価指標が、このようにリソース適応の実施のために用いられることができるということを理解されたい。続けて説明する前に、開回路制御装置２１０および／又は閉回路制御装置２２０が、ＬＡＲＣ２００の中、又はＬＡＲＣの外側に用いられることができることに留意されたい。制御装置２１０および２２０は、以下の図３に関連してより詳細に例示される、様々なリソース制御コンポーネントと関連することができる。例えば、開回路手段又は閉回路手段に用いることができる、このような制御コンポーネントは、以下により詳細に記述されるように、クラスタフィンガマネージャ、アナログ−ディジタル制御（ＡＤＣ）ワード長マネージャ、ＡＤＣサンプリングクロックマネージャ、イコライザタップマネージャ、およびその他の制御コンポーネントを含む。
【００１７】
図３は、図２に関連して上に記述された、開回路リソース制御処理装置又は閉回路リソース制御処理装置を用いることができる、アダプティブレーキ受信機３００の機能ブロック図の一例を例示する。例えば、非常に広い帯域幅チャンネルで経験されるような高密度の多重経路動作環境では、レーキリソースの数は著しく増える。このレーキリソースの増加は、複雑性および電力消費量で増やすために直接変わる。３００に示される受信機は、レーキリソースを、例えば、３２０に示されるような数個のフィンガ（Ｌ）をそれぞれ含んでいる数個のクラスタ（Ｋ）３１０−３１４に分類する。なお、ＫおよびＬは正の整数である。切替えロジック３２４は、個々のクラスタを有効又は無効にすることを許可し、許可を与えられたクラスタ中の個々のフィンガを有効又は無効にすることも許可する。クラスタおよびクラスタ３１０−３１４中のフィンガの最適条件又は適当な切替えは、相当量の電力の節約になり、デバイスのバッテリ寿命を延長する。全体のアーキテクチャは、チャンネルに依存するレーキ受信機となる。典型的な単一経路だけがある追加のホワイトガウスチャンネルにおいて、例えば、制御ロジックは、レーキアーキテクチャを単一のフィンガへと減らすだろう。システムにおいて単一処理利得があるもう一つの場合では、単一のフィンガが用いられ、シンボルは更なる処理のためにイコライザエンジン（示されていない）へと送り出されるだろう。大きな処理利得を用いるシステムにおいて、余分な利得およびリンクマージンは、レーキリソース要求をさらに少なくするために用いられてもよい。
【００１８】
クラスタフィンガマネージャ３３０（ＣＦＭ）は、望ましい復調性能を達成するために、用いるレーキクラスタおよびクラスタ中のフィンガの最適な又は適当な数を決定する。クラスタの数は、評価したＳＮＲ、チャンネル評価又は時間評価３３６、又は復調誤り事象３４０の確率、又は導出されるパラメータを含んでいるこれらの組み合わせ、又はこれらに等価なものに基づいて決定される。例えば、最適な又は適当なクラスタおよびクラスタ中のフィンガは、チャンネル状態又は取得結果に基づいて決定されてもよい。示されるように、切替えロジック３４４は、望ましいクラスタリソースの数を選択するために提供される。ここで、ＣＦＭ３３０からのフィンガ選択（ＦＩＮＧＥＲ＿ＳＥＬＥＣＴ）制御信号は、３４６−３５０に示され、クラスタ選択は３５２で制御する。３３６に示される出力が、一又はそれ以上の出力信号を含むことに留意されたい。この例において、出力３３６は、チャンネル評価データ又は信号、および時間評価データ又は信号を含む。
【００１９】
３５４で、ＡＤＣワード長マネージャ（ＡＷＭ）が提供される。ＡＷＭ３５４は、３６０で受信した信号−雑音比率の評価に基づいてアナログ−ディジタル変換装置（ＡＤＣ）３５８に対する最適又は適当なワード長（ビットの数）を決定する。ＡＤＣ３５８の電力消費量は、用いたビットの数に比例する。要求した信号−雑音比率３６０又はその他のチャンネル状態に基づいて、ＡＤＣ３５８ワード長を測定することによって、相当量の電力節約を達成することができる。チャンネル状態が、評価したＳＮＲ、チャンネル評価、復調誤り事象の確率、又はこれらの組み合わせ、又は導出されるチャンネル状態／パラメータ、又はこれらに等価なものを含むことができるということに留意されたい。ＡＤＣ３５８のワード長を減らすために好都合なチャンネル状態が用いられてもよい。受信したＳＮＲ３６０に基づいて、ＡＷＭ３５４は、ＡＤＣによって用いられるビットの数を示す、制御信号ＮＢＩＴ３６４を生ずる。この信号は、ＡＤＣワード長を制御するために用いられる。大きな処理利得、即ち、より大きいシンボル時間を用いるシステムにおいて、余分な利得およびリンクマージン等は、ＡＤＣ３５８ワード長要求を最小限にするために用いられてもよい。
【００２０】
３６８で、ＡＤＣサンプリングマネージャ（ＡＳＭ）が提供される。受信波形を処理する通常の手段は、主要な帯域幅の少なくとも２倍に等しいレートでサンプリングすることである。ＵＷＢシステムにあるように広い帯域幅に対しては、Ａ−Ｄ変換装置３５８のサンプリングレートは大きくなり得て、より高い電力消費をもたらす。二又はそれ以上の信号の過度のサンプリングは、送信機および受信機間のずれによるタイミング誤りを調整するための手段を提供する。連続的な又は周期的なタイミングの調整は、急にチャンネルを変更する際に役に立つ。しかしながら、変化のないチャンネルおよびチャンネル干渉時間よりも小さいパケットサイズにおいて、タイミングは、プリアンブル／パイロット周期の間にパケットの始めで調整することができ、これにより、パケットの残りの間中一定に保つことができる。このようなシナリオにおいて、受信波形は、タイミングが調整されるプリアンブル部分の間にオーバーサンプリングされうる。その後、パケットの残っている部分は、前の信号帯域幅のレートを用いて正確な時間にサンプリングされうる。それゆえに、オーバーサンプリングの削減に直接比例する電力節約を提供する。例えば、ＦｓからＦｓ／２へのサンプリングレートの変化は、電力消費量において５０％以上の節約になる。
【００２１】
チャンネルを変更する時間又は送信パケット持続時間がチャンネル干渉時間よりも大きい場合、周期的なパケットの残りの間はもちろん、プリアンブル部分の間でもタイミングを調整することが必要とされるかもしれない。このようなシナリオにおいて、サンプリングレートは、タイミング調整を提供するために望ましい値に増加することができる。ＡＤＣサンプリングマネージャ３６８は、例えば、チャンネル状態，処理されているパケットの一部分等のような情報を用いて適切なサンプリングレートを決定する。例示されるように、サーチャーおよびチャンネル評価コンポーネント３７４は、３３６において、出力チャンネル評価および／又は時間評価を提供するために設けられる。これらは、３８０〜３８４において、Ｋ個のクラスタのフィンガによってチャンネル評価および／又は時間評価入力として用いられる。誤り事象測定コンポーネントは、３８８で例示され、上述した誤り事象３４０を生成する。別の実施形態において、誤り事象測定コンポーネント３８８からの出力３４０は、３６４において、ＡＤＣワード長の更なる制御装置としての役目をすることができるＡＷＭ３５４への入力として用いられることができる。
【００２２】
図４は、アダプティブイコライザシステム４００の機能ブロック図の一例を例示する。システム４００は、図３の参照数字３９０からの入力４１０を受信し、図３の参照数字３９４への出力４２０を提供する。あるチャンネル状態では、レーキ受信機は、インターシンボルインターフェース（ＩＳＩ）が主要であるより高いデータレートを考慮すると最適な解決とならないかもしれない。このような場合において、イコライザ４３０を実行することが望ましい。イコライザ４３０は、一般的にＮ個のタップを備えるディジタルフィルタとして実現される。ここで、それぞれのフィルタタップは、遅延装置、掛け算装置、および加算装置を有し、全てが入力シンボルレートでクロックされる。これら３つの装置は、相当の長いワード長を有し、それらの高速動作により多くの電力を消費する。電力消費量の相当量の削減は、これらの装置を無効にすることによって達成することができる。
【００２３】
この例では、チャンネル状態および復調性能に基づいてタップの調整を許可するアーキテクチャが提供される。好都合なチャンネル状態の下で、タップの数は減らすことができ、これにより電力消費量を減少させ、デバイスのバッテリ寿命を伸ばす。可変順タップ４３４および可変帰還タップ４３８を有する、シンボルレート決定帰還イコライザは導かれる。タップ４３４および４３８は、チャンネル状態又はデータレートに基づいて調整することができる。例えば、より長いチャンネル、即ち、より大きい遅延拡散を備えるものは、より短い遅延拡散を備えるチャンネルよりも多くの帰還タップを必要とする場合がある。もう一つの例は、タップの調整が、処理利得、即ち、シンボル当たりのチップの数に基づく場合である。単一処理利得を制限する場合、４１０でのレーキコンバイナからのシンボルレートは、チップレートと同じである。この場合、図３に示されるレーキブロックは、単一のフィンガを利用することができ、イコライザ４３０は、チップレートで実行することができる。示されるように、イコライザは、加算コンポーネント４４０および決定デバイス４４４を含んでいてもよい。
【００２４】
イコライザタップマネージャ（ＥＴＭ）４５０は、望ましい復調性能を達成するために、用いるイコライザタップの最適な適当な数を決定する。イコライザタップの数は、例えば、評価したＳＮＲ、チャンネル評価、復調誤り事象の確率、又はこれらの組み合わせ、又は導出されるその他のパラメータ、又はこれらに等価なもの等のような、チャンネル状態に基づいて決定することができる。例えば、タップの最適な又は適当な数は、例えば、チャンネル評価アルゴリズムから評価されるＲＭＳ遅延拡散を意味するようなチャンネル遅延パラメータに基づいて決定されてもよい。線形性イコライザのために、ＥＴＭ４５０は、帰還（ＦＢ）タップ４３８および決定装置４４４を無効しつつ、順（ＦＦ）タップ４３４の数を調整することができる。決定帰還イコライザ（ＤＦＥ）のような非線形性イコライザのために、ＥＴＭ４５０は順（ＦＦ）タップ４３４および帰還（ＦＢ）タップ４３８の両方を調整することができる。大きな処理利得、即ち、より低いデータレートを用いるシステムでは、シンボル時間はより長くなる。それゆえに、イコライザ要求は減らすことができる。データレートおよびチャンネル状態に基づいて、ＥＴＭ４５０は、電力消費量を最小限にしつつ、目標性能を満たすために用いるイコライザタップの数を決定する。システム４００のその他のコンポーネントは、デマップコンポーネント４５４、デインタリーバコンポーネント４５６、および復調器４６０を含むことができる。
【００２５】
図５は、アダプティブ受信機のために一又はそれ以上の閾値状態を処理する、システム５００を例示する。受信機は５１０で閾値を適用し、強度の高い（Ｔ）ｄＢ中の経路にフィンガ５２０を割り当てると仮定することができる。示されるように、クラスタは閾値５１０を考慮して５３０で割り当ててもよい。ここで、チャンネルタイプは、５４０で解析される。また、送信波形はロール−オフｒを備える平方根累乗コサインフィルタ（他のどんなフィルタを用いてもよい）によって形成することができることを考慮しなければならない。
【００２６】
図６〜８は、図５でシステム５００によって処理することができるチャンネルタイプおよび波形の例を例示する。ここで、異なるフィンガ割り当ては、それぞれのチャンネルタイプに基づいて用いられることができる。ラインオブサイト（ＬＯＳ）チャンネルを経由して受信した信号（例えば図６の波形６００に示す）のために、また、例えばＴが１４ｄＢとして選択されてもよいＴ−ｄＢ中の経路を選択する後に、単一のフィンガの割り当てが行われることができる。もう一つの例では、３経路備え散在する多重経路チャンネルを経由して受信される信号（例えば図７の波形７００に示す）が考慮される。例えば、閾値ＴｄＢを適用する後に、３つのフィンガが割り当てられることができる。もう一つの例では、高密度多重経路チャンネル（例えば図８の波形８００に示す）を通じた信号送信が考慮される。上述した図５の５１０で閾値１４ｄＢを適用し、１２個近くの経路が観測されてもよい。
【００２７】
チャンネル評価／サーチャー装置（図３の３７４に示される）によって決定されるようなチャンネル状態に依存して、図５の５２０でのフィンガ割り当ての結果は、フィンガリソースを有効又は無効にするためにＣＦＭ（図３の３３０に示される）へ伝達することができる。一例として、レーキ構成がクラスタ毎に３つのフィンガを備える８つのクラスタで構成されると仮定する（同様に、様々なその他の構成から成っていてもよい）。それゆえに、ＬＯＳチャンネルのために、ＣＦＭは第１のクラスタおよびそのクラスタの中のフィンガを選択するためにクラスタ選択（ＣＬＵＳＴＥＲ＿ＳＥＬＥＣＴ）を設定するだろう。３つのパスチャンネルのために、ＣＦＭは第１のクラスタ全体を選択するためにクラスタ選択（ＣＬＵＳＴＥＲ＿ＳＥＬＥＣＴ）を設定するだろう。高密度多重経路チャンネルのために、ＣＦＭはクラスタ１、２、および３全体を選択するためのクラスタ選択（ＣＬＵＳＴＥＲ＿ＳＥＬＥＣＴ）を設定する。これら全ての例において、未使用のクラスタおよび用いられたクラスタ中の未使用のフィンガは、電力低下することができ、相当量の電力節約を提供する。その他のチャンネルタイプおよび／又は相当数の経路が、ここに記述した例と同様に処理することができることを理解されたい。構成要素をトラックする時間および周波数は、一般的に、特定の多重経路コンポーネントの時間および周波数ドリフトを適切にトラックするためにフィンガを有効にするために各々のレーキフィンガに提供される。図７の７００に示されるような散在するチャンネルでは、これらコンポーネントを個々にトラックするための能力を有することが望ましい。なお、経路は時間で相当数に分割されてもよい。しかしながら、図８の８００に示されるような高密度多重経路において、経路はクラスタに到達し得る。このようなシナリオでは、クラスタ全体をトラックするためにクラスタ中に単一のトラッキング素子を有することは、個々のレーキフィンガが、電源オンされるトラッキング素子を有する必要がないので、相当量の電力節約となる。
【表１】
0005512513.tif 000002
【００２８】
図９は、リソース割り当て処理表の処理を例示するシステム９００である。全てが受信機によって用いられてもよい相当数の多重経路を有してもよいが、それらの全てを利用することは必要ではない。受信したＳＮＲが通常よりも高い、好都合なチャンネル状態において、受信機はレーキリソースのいくつかを無効にする。ＳＮＲ評価装置（図３の３６０に示される）は、受信した信号対雑音比率を決定し、当該信号対雑音比率を、用いるレーキリソースの最適な又は適当な数を決定するために当該信号対雑音比率を用いるＣＦＭに伝達する。ＣＦＭは、伝えられたＳＮＲ（測定したＳＮＲ）および動作ＳＮＲ（目標ＳＮＲ）間の差を算出し、当該差を用いて、当該差を、９１０に示されるリソース利用表（ＲＵＴ）に基づいてリソース要求の数にマッピングするために用いる。
【００２９】
ＲＵＴ９１０の入力は、９２０に示される差分であり、出力は、以下の表２に示される一例の９３０でのリソース利用である。リソースは、レーキフィンガ、ＡＤＣビット、イコライザタップ又はこれらリソースの組み合わせであってもよい。一つ以上のリソースの組み合わせは、同じ性能又は目標ＳＮＲを生ずることができる。このようなシナリオにおいて、ＣＦＭはモデム電力消費量を最小限にするために適切な組み合わせを選択する。ＲＵＴ９１０は、例えば、以下の表３〜５の例に示されるレーキ損失表（ＲＬＴ）、ＡＤＣ損失表（ＡＬＴ）、およびイコライザ損失表（ＥＬＴ）等のような、一又はそれ以上の損失表に基づいて生成することができる。最大数のフィンガに対して数を減らしたフィンガを用いる時に、ＲＬＴはＳＮＲ損失を提供する。最大数のビットに対してＡＤＣビットを用いる時に、ＡＬＴはＳＮＲ損失を提供する。最大数のタップに対して数を減らしたイコライザタップを用いる時に、ＥＬＴはＳＮＲ損失を提供する。これらの表ＲＬＴ、ＡＬＴ、およびＥＬＴの各々は、事前のチャンネル測定およびシミュレーションに基づいてアプリオリに生成することができる。これらの表は、異なるリソースを利用して動作しつつ、ＳＮＲ損失のより正確な評価を生成するためのモデム動作の間中、更新することができる。
【表２】
0005512513.tif 000003
【表３】
0005512513.tif 000004
【表４】
0005512513.tif 000005
【表５】
0005512513.tif 000006
【００３０】
図１０は、ワイヤレスデバイスのためのアダプティブ受信機制御処理装置を例示する。説明の平易を目的として、方法論が示され、一連の又は複数の行為として記述される。ここに記述した処理が行為の順序によって制限されず、いくつかの行為は異なる順序および／又はその他の行為と同時に生じてもよいということが、理解され、正しく認識されるべきである。例えば、当業者は、情報論が状態図の中にあるように一連の相互に関係する状態として代替的に表現され得ることを理解し、正しく認識するだろう。また、ここに開示される主な方法論に従って方法論を実現するために、全ての例示された行為が要求されるわけではない。
【００３１】
１０１０に進むと、一又はそれ以上のパラメータ又は評価指標が、アダプティブ受信機で監視される。前述されたように、これらは信号対雑音比率（ＳＮＲ）、チャンネル評価情報、誤り事象データ、および信号クオリティ等を示してもよい受信機の中のその他の状態を含むことができる。加えて、代わりの様態は、デバイスに関連する補助的又は方策面での観点に基づいて、リソースを選択的に有効又は無効にすることを含み、これらの観点は、前述のパラメータ又は評価指標に加えて監視することができる。例えば、ユーザは、一又はそれ以上のリソースが無効にされ得る時に決定する、自動的に検知されうる方策又は環境を設定してもよい。これは、デバイスに関連したそれぞれのパターンを学習するために分類するようなインテリジェントなコンポーネントの使用を含むことができる。これらは、デバイスに対して使用パターンを設定すること又は検知することを含み、且つリソースを無効にすることを含んでもよい（例えば、１：００ＡＭ後、緊急時だけのために最小限のリソースを維持する）。
【００３２】
１０２０において、上述に記述されるパラメータは、一又はそれ以上の閾値状態と比較される。これらは、このような状態を定義する動的に更新可能なリソース表を含むことができる。電子又はデータ設定は、ある閾値を鑑みていつリソースを有効又は無効にするかを決定するために用いられてもよい複数の閾値を定義するためにデバイスの中で維持することもできる。１０３０において、受信機のための現在の動作状態に鑑みて、一又はそれ以上のリソースが十分に有効であるか否かの決定がされる。例えば、ＳＮＲ監視は、現在検知したＳＮＲに鑑みて有効であるべき、レーキクラスタおよび／又はフィンガの数を定義するＳＮＲ閾値と比較されてもよい。理解できるように、多数の閾値はこの方法で比較されうる。もしリソース利用が１０３０において十分であるならば、処理は、現在のリソースが受信機で維持される１０４０へと移り、次いで、処理は１０１０へと戻り、受信機パラメータを監視することを続ける。もし、リソース利用が１０３０において十分でないならば、処理は１０５０へと移る。１０５０において、一又はそれ以上のデバイスリソースは、１０３０での比較に依存して、選択的に有効又は無効にされる。例えば、もし素晴らしいＳＮＲ状態が検知されたならば、一又はそれ以上のデバイスリソースは、電力を節約するために無効にしてもよい。反対に、もし不十分な信号状態が検知されたならば、一又はそれ以上のデバイスリソースは、受信機において望ましいサービスのクオリティを促進するために有効にしてもよい。１０５０において、適したリソースが有効又は無効になった場合、処理は１０１０へと戻り、受信機パラメータを監視する。
【００３３】
図１１は、アダプティブ受信機のために論理的なモジュールを提供するシステム１１００である。本実施形態において、システム１１００は、ワイヤレス通信システムに適用される。これは、ワイヤレスデバイスのために信号クオリティパラメータを監視する論理的なモジュール１１０２を含む。前述に示したように、パラメータはＳＮＲ、チャンネル評価データ、その他の信号クオリティデータ等を含むことができる。１１０４において、論理的なモジュールは、信号クオリティパラメータのための閾値を決定するために提供される。これは、そのような閾値を決定するために一又はそれ以上のリソース割り当て又は利用表を使用することを含むことができる。１１０６において、デバイスの利用可能なリソースを決定する論理的なモジュールが提供される。これは、利用可能なチャンネルの状態を決定するためにデバイスにおいて帰還を監視する、コンポーネントを含むことができる。１１０８において、デバイスの少なくとも一つのリソースを有効又は無効にする論理的なモジュールが提供される。前記有効又は無効にすることは、例えば、評価した信号対雑音比率（ＳＮＲ）、チャンネル評価、復調誤り事象の確率、チャンネル状態、又は取得結果の機能となり得る。他方の実施形態は、信号クオリティパラメータおよび決定された閾値に基づいて、ワイヤレスデバイスの利用リソースを決定することを含む。これは、選択される信号クオリティパラメータと、リソースがある通信状態のために必要とされるかどうかを決定するための特定の閾値とを比較するために、リソースを処理することを含むことができる。信号クオリティパラメータおよび閾値の決定に基づいて、リソースは、信号クオリティパラメータおよび決定された閾値を鑑みてワイヤレスデバイスの中でスイッチオン又はスイッチオフされうる。切替えリソースは、デバイスの中で選択されるリソースを有効又は無効にするために、ソフトウェア制御装置および／又は電子制御装置を含むことができる。
【００３４】
図１２を参照して、ダウンリンク上での、送信デバイス１２０５において、送信（ＴＸ）データ処理装置１２１０は、トラフィックデータを受信し、初期化し、暗号化し、インタリーブし、変調し、且つ変調シンボル（「データシンボル」）を提供する。シンボル変調器１２１５は、データシンボルおよびパイロットシンボルを受信し、処理し、且つシンボルのストリームを提供する。シンボル変調器１２２０は、データおよびパイロットシンボルを多重化し、且つそれらを送信装置（ＴＭＴＲ）１２２０に提供する。各々の送信シンボルは、データシンボル、パイロットシンボル、又は零の信号値としてもよい。パイロットシンボルは、各々のシンボル周期で連続的に送信されてもよい。パイロットシンボルは、周波数分割多元接続（ＦＤＭ）、直行周波数多元接続（ＯＦＤＭ）、時分割多元接続（ＴＤＭ）、周波数分割多元接続（ＦＤＭ）、又は符号分割多元接続（ＣＤＭ）であることが可能である。
【００３５】
ＴＭＴＲ１２２０は、一又はそれ以上のアナログ信号の中のシンボルのストリームを受信し、変換する。さらに、ワイヤレスチャンネルを通じて送信するのに適したダウンリンク信号を生成するために、アナログ信号を調整する（例えば、増幅し、浸透し、周波数上位変換する）。ダウンリンク信号は、アンテナ１２２５を通じて受信デバイス１２３０に送信される。受信デバイス１２３０において、アンテナ１２３５はダウンリンク信号を受信し、受信装置（ＲＣＶＲ）１２４０へ受信信号を提供する。受信装置１２４０は、受信信号を調整し（例えば、浸透し、増幅し、周波数下位変換する）、サンプルを取得するために、調節した信号をディジタル化する。シンボル復調器１２４５は受信パイロットシンボルを復調し、チャンネル評価のために処理装置１２５０へ受信パイロットシンボルを提供する。シンボル復調器１２４５は、処理装置１２５０からのダウンリンクに対する周波数応答評価を更に受信し、データシンボル評価（送信データシンボルの評価である）を取得するために受信データシンボル上でデータ復調を行い、送信トラフィックデータを回復させるためにシンボル評価を復調し（すなわち、シンボルデマップし）、デインタリーブし、復号するＲＸデータ処理装置１２５５へ、データシンボル評価を提供する。
【００３６】
シンボル復調器１２４５およびＲＸデータ処理装置１２４５による処理は、それぞれ、送信デバイス１２０５において、シンボル変調器１２１５およびＴＸデータ処理装置１２１０による処理と相補的である。アップリンク上で、ＴＸデータ処理装置１２６０は、トラフィックデータを処理し、データシンボルを提供する。シンボル変調器１２６５は、パイロットシンボルを備えるデータシンボルを受信し、多重化し、変調を行い、シンボルのストリームを提供する。送信装置１２７０は、アンテナ１２３５によって送信デバイス１２０５へ送信されるアップリンク信号を生成するために、シンボルのストリームを受信し、処理する。
【００３７】
送信デバイス１２０５において、ターミナル１２３０からのアップリンク信号が、アンテナ１２２５によって受信され、サンプルを取得するために受信装置１２７５で処理される。シンボル復調器１２８０は、サンプルを処理し、アップリンクのために受信パイロットシンボルおよびデータシンボル評価を提供する。ＲＸデータ処理装置１２８５は、ターミナル１２３０で送信したトラフィックデータを回復させるためにデータシンボル評価を処理する。処理装置１２９０は、アップリンク上での各々の活動的なターミナル送信のためにチャンネル評価を行う。多数のターミナルは、それぞれ割り振られたパイロットサブバンドの組においてアップリンク上でパイロットを同時に送信してもよい。ここで、パイロットサブバンドの組はインタレースされてもよい。処理装置１２９０および１２５０は、送信デバイス１２０５および受信デバイス１２３０に、それぞれ動作を指示する（例えば、制御し、調整し、管理する等）。それぞれの処理装置１２９０および１２０５は、プログラムコードおよびデータを記憶する記憶装置（示されない）に関連させることができる。処理装置１２９０および１２０５は、それぞれ、アップリンクおよびダウンリンクのために周波数およびインパルス応答評価を導出するための計算を行うこともできる。
【００３８】
多重接続システム（例えば、ＦＤＭＡ、ＯＦＤＭＡ、ＣＤＭＡ、ＴＤＭＡ等）のために、多重ターミナルは、アップリンク上で同時に送信できる。このようなシステムのために、パイロットサブバンドは、異なるターミナルの間で共有されてもよい。チャンネル評価技術は、各々のターミナルのパイロットサブバンドが動作するバンドに及ぶ（できる限りバンドエッジを取り除く）場合に用いられてもよい。このようなパイロットサブバンド構成は、各々のターミナルの周波数ダイバーシティを取得するために望ましいだろう。ここに記述される技術は、様々な手段によって実行されてもよい。例えば、これらの技術は、ハードウェア、ソフトウェア、又はそれの組み合わせで実行されてもよい。ハードウェア実行のために、チャンネル評価に用いられる処理装置は、一又はそれ以上の特定用途向け集積回路（ＡＳＩＣ）、ディジタル信号処理装置（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、処理装置、制御装置、マイクロ制御装置、マイクロ処理装置、ここに記述した機能を行うように設計したその他の電子装置、又はそれの組み合わせで実行されてもよい。ソフトウェアでの実行は、ここに記述した機能を行うモジュール（例えば、プロシージャ、ファンクション等）を通じることができる。ソフトウェアコードは、記憶装置に記憶されてもよいし、処理装置１２９０および１２５０によって実行されてもよい。
【００３９】
ソフトウェア実行のために、ここに記述した技術は、ここに記述した機能を行うモジュール（例えば、プロシージャ、ファンクション等）を備えて実行されてもよい。ソフトウェアコードは、記憶装置に記憶されてもよいし、処理装置コンポーネントによって実行されてもよい。記憶装置は、当業者に知れられる様々な手段によって処理装置コンポーネントを連結させることができる場合に、処理装置コンポーネント又は外部処理装置コンポーネントで実行されてもよい。
【００４０】
上記記載は典型的な実施形態である。本実施形態に記述する方法又は構成要素の考えられうる全ての組み合わせを説明することは不可能であるが、当業者は、更なる多くの組み合わせおよび並び替えが可能であることを理解することができるだろう。従って、これらの実施形態は、特許請求の範囲の精神又は範囲内であるそのような代替例、改良例、変形例の全てを包含することが意図されている。更に、「含む」という用語は、明細書又は特許請求の範囲の何れにおいても用いられるが、このような用語は、特許請求の範囲において文言を接続させる語句として用いられた場合の「備える」と同様に包括的であることが意図される。
以下に、本願出願の当初の特許請求の範囲に記載された発明を付記する。
［Ｃ１］
デバイスの利用可能なリソースを識別することと、
評価した信号対雑音比率（ＳＮＲ）、チャンネル評価、復調誤り事象の確率、チャンネル状態、又はサーチャー結果の機能として前記デバイスの少なくとも一つのリソースを動的に無効にすること、
を具備する移動式デバイスのリソースの利用を促進する機械実行方法。
［Ｃ２］
前記デバイスにおける複数のパラメータを監視することと、デバイスリソースを選択的に無効又は有効にするために一又はそれ以上の切替えコンポーネントを利用することを更に具備するＣ１に記載の方法。
［Ｃ３］
前記パラメータは、信号又はデータ閾値、クオリティ・オブ・サービス（ＱｏＳ）状態、信号対雑音比率（ＳＮＲ）情報、又はリソース利用情報を含む、前記デバイスの望ましい動作状態を定義する入力又はデータを含むＣ２に記載の方法。
［Ｃ４］
直接シーケンススペクトラム拡散型超広帯域無線（ＵＷＢ）通信システムに前記デバイスを用いることを更に具備するＣ１に記載の方法。
［Ｃ５］
開回路制御装置又は閉回路制御装置に基づいて、リソースを選択的に有効又は無効にすることを更に具備するＣ１に記載の方法。
［Ｃ６］
前記開回路制御装置によって受信機方向調整を適用することを更に具備するＣ５に記載の方法。
［Ｃ７］
入ってくる受信サンプルの信号−雑音比率を測定することと、デバイスリソースの方向調整を行うことを更に具備するＣ６に記載の方法。
［Ｃ８］
前記閉回路制御装置は、望ましいクオリティ・オブ・サービスを可能にするために、ビット当たりの電力密度対雑音電力密度比（Ｅｂ／Ｎｏ）、受信信号強度インジケータ（ＲＳＳＩ）、ブロック誤り率（ＢＬＥＲ）、パケット誤り率（ＰＥＲ）、信号対雑音比率（ＳＮＲ）、リンククオリティインジケータ（ＬＱＩ）、又はビット誤り率（ＢＥＲ）を処理するＣ５に記載の方法。
［Ｃ９］
各々が一又はそれ以上のフィンガ（Ｌ）を含んでいる数個のクラスタ（Ｋ）を有するレーキリソースの集まりの中に受信機を構成することを更に具備し、ＫおよびＬが正の整数であるＣ１に記載の方法。
［Ｃ１０］
個々のクラスタを有効又は無効にするために切替えロジックを用いることと、あるクラスタの中の個々のフィンガを有効又は無効にすることを更に具備するＣ９に記載の方法。
［Ｃ１１］
受信機チャンネルタイプ又は処理利得に基づいて、切替え要求を決定することを更に具備するＣ１０に記載の方法。
［Ｃ１２］
望ましい復調性能を達成するために用いるクラスタの数およびクラスタの中のフィンガの数を決定することを更に具備するＣ１０に記載の方法。
［Ｃ１３］
受信したワイヤレス信号に対するアナログ−ディジタル（Ａ／Ｄ）変換要求を決定することを更に具備し、前記動的に無効にすることは、前記受信したワイヤレス信号に対する検知状態に基づいて前記Ａ／Ｄ変換要求に関連したリソースを有効又は無効にするＣ１に記載の方法。
［Ｃ１４］
受信した信号対雑音比率（ＳＮＲ）の評価に基づいて、アナログ−ディジタル変換装置（ＡＤＣ）のためにワード長（ビットの数）を決定することを更に具備するＣ１３に記載の方法。
［Ｃ１５］
前記ＳＮＲに基づいて、前記ＡＤＣワード長を測定することを更に具備するＣ１４に記載の方法。
［Ｃ１６］
前記受信したＳＮＲに基づいて、前記ＡＤＣのワード長を減らすことを更に具備するＣ１５に記載の方法。
［Ｃ１７］
前記ＡＤＣによって用いられるビットの数を指示する制御を生成することを更に具備するＣ１６に記載の方法。
［Ｃ１８］
ＡＤＣビット幅要求を最小限にするために大きい処理利得を用いるＣ１７に記載の方法。
［Ｃ１９］
入ってくる信号状態に鑑みてＡＤＣサンプリングレートを調整することを更に具備するＣ１４に記載の方法。
［Ｃ２０］
受信信号を、その信号のプリアンブル部分の期間においてタイミングが調整された状態でオーバーサンプリングすることを更に具備するＣ１９に記載の方法。
［Ｃ２１］
前記信号のプリアンブル部分の後のサンプリングレートを決定することを更に具備するＣ２０に記載の方法。
［Ｃ２２］
タップの集合を有するイコライザコンポーネントによって受信ワイヤレス信号を処理することと、受信チャンネル状態又は復調性能の一部に基づいて、前記タップの部分集合に切替えることを更に具備するＣ１に記載の方法。
［Ｃ２３］
前記タップの集合は、入力シンボルレートで記録した遅延装置、掛け算装置、および加算装置に関連するＣ２２に記載の方法。
［Ｃ２４］
可変順タップおよび可変帰還タップを制御することを更に具備するＣ２２に記載の方法。
［Ｃ２５］
遅延拡散又は処理利得に基づいて、タップの数を調整することを更に具備するＣ２４に記載の方法。
［Ｃ２６］
高密度の複数の経路チャンネルのために向上した電力節約を提供するためのクラスタをトラックする手段として、フィンガからなるクラスタの中の単一のトラッキング素子を用いることを更に具備するＣ１に記載の方法。
［Ｃ２７］
ワイヤレス信号を処理するために受信機コンポーネントおよび送信機コンポーネントを含むモデムコンポーネントと、
前記モデムコンポーネントの動作を制御するために一又はそれ以上のリソースと、
前記モデムで検知したチャンネル状態に鑑みて前記一又はそれ以上のリソースを選択的に有効又は無効にするためのリソースマネージャと、
を具備するワイヤレス通信デバイス。
［Ｃ２８］
前記一又はそれ以上のリソースを選択的に有効又は無効にするために、クラスタマネージャ、ワード長マネージャ、サンプリングマネージャ、およびタップマネージャのうちの少なくとも一つを用いるＣ２７に記載のデバイス。
［Ｃ２９］
ワイヤレスネットワークのパラメータに関連する一又はそれ以上の閾値であって、前記パラメータが少なくともチャンネル評価又は信号対雑音比率（ＳＮＲ）に関連する閾値を記憶することと、
受信した信号状態と前記閾値を比較することと、
前記受信した信号状態および前記閾値の一部に基づいて、ワイヤレス受信機のコンポーネントリソースを調整することと、
を具備する機械可読のインストラクションを有する機械可読媒体。
［Ｃ３０］
前記閾値に基づいてフィンガ又はクラスタを割り当てるＣ２９に記載の機械可読媒体。
［Ｃ３１］
いくつかの主要なチャンネル経路のチャンネルタイプに基づいて、フィンガ又はクラスタを割り当てるＣ３０に記載の機械可読媒体。
［Ｃ３２］
測定したＳＮＲと目標のＳＮＲとの間の差を算出することと、リソース利用表（ＲＵＴ）に基づいて、いくつかの要求されるリソースをマッピングするために前記差を用いることを更に具備するＣ２９に記載の機械可読媒体。
［Ｃ３３］
前記ＲＵＴへの入力としての差分を決定することと、前記ＲＵＴの出力としてのリソース利用を決定することを更に具備するＣ３２に記載の機械可読媒体。
［Ｃ３４］
前記リソース利用は、レーキフィンガの数、ＡＤＣビットの数、又はイコライザタップの数を含むＣ３３に記載の機械可読媒体。
［Ｃ３５］
レーキ損失表（ＲＬＴ）、ＡＤＣ損失表（ＡＬＴ）、又はイコライザ損失表（ＥＬＴ）を含んでいる、一又はそれ以上の損失表を生成することを更に具備するＣ３３に記載の機械可読媒体。
［Ｃ３６］
異なるリソースを利用する動作を行いつつより正確な損失の評価を生成するためにモデムの動作中に損失表を更新することを更に具備するＣ３５に記載の機械可読媒体。
［Ｃ３７］
デバイスの利用可能なリソースを決定する手段と、
評価した信号対雑音比率（ＳＮＲ）、チャンネル評価、復調誤り事象の確率、チャンネル状態、又は取得結果の機能として、前記デバイスのリソースの少なくとも一つを有効又は無効にする手段と、
を具備するワイヤレス通信システム。
［Ｃ３８］
前記デバイスで複数のパラメータを監視し、デバイスリソースを選択的に無効又は有効にするために、一又はそれ以上の切替えコンポーネントを利用する手段を更に具備するＣ３７に記載のシステム。
［Ｃ３９］
前記パラメータは、信号又はデータ閾値、クオリティ・オブ・サービス（ＱｏＳ）状態、信号対雑音比率（ＳＮＲ）情報、又はリソース利用情報を含む、前記デバイスの望ましい動作状態を定義する入力又はデータを含むＣ３８に記載のシステム。
［Ｃ４０］
前記切替えコンポーネントは、開回路制御装置又は閉回路制御装置を用いるＣ３８に記載のシステム。
［Ｃ４１］
前記開回路制御装置又は前記閉回路制御装置は、前記少なくとも一つのリソースを有効又は無効にするための、クラスタマネージャ、ワード長マネージャ、サンプリングマネージャ、およびタップマネージャのうちの少なくとも一つに関連するＣ４０に記載のシステム。
［Ｃ４２］
ワイヤレスネットワーク信号状態に関連する一又はそれ以上の閾値を記憶するメモリと、
前記閾値と電流信号状態とを比較し、デバイスでの電力消費を最小限にするために前記電流信号に鑑みて前記デバイスにおけるリソースを調整する処理装置コンポーネントと、
を具備するワイヤレスネットワークのための処理装置。
【図１】
0005512513.tif 000007
【図２】
0005512513.tif 000008
【図３】
0005512513.tif 000009
【図４】
0005512513.tif 000010
【図５】
0005512513.tif 000011
【図６】
0005512513.tif 000012
【図７】
0005512513.tif 000013
【図８】
0005512513.tif 000014
【図９】
0005512513.tif 000015
【図１０】
0005512513.tif 000016
【図１１】
0005512513.tif 000017
【図１２】
0005512513.tif 000018